(57)【要約】【課題】  データをフィルムに鮮明に写し込むことのできるカメラを提供することを目的とする。【解決手段】  測光部１３により得られた外光輝度に基づいて露出基準値を算出し、測光部１３により得られた輝度値が所定値以下である場合、露出補正値を用いて露光量を増大するよう露出基準値を補正して露出目標値を算出する。測光部１３により得られた輝度値が所定値以下の場合であって、算出された露出目標値が手ぶれ防止のためのシャッター制御の限界点を示す露出値以上の場合、デート写込部１９はフィルムに対するデータの写し込み時間を規定値より長くした時間で写し込みを行う。また、露出目標値が手ぶれ防止のためのシャッター制御の限界点を示す露出値より小の場合、デート写込部１９はフィルムに対するデータの写し込み時間を規定値で示される時間またはこの時間より短くした時間で写し込みを行う。【選択図】  図３
2006038952.tif 000002
【特許請求の範囲】
【請求項１】
外光輝度を検出する測光手段と、
前記測光手段により得られた外光輝度に基づいて露出基準値を算出する露出値算出手段と、
前記外光輝度の輝度値が所定値以下である場合、露光量を増加させるよう前記露出値算出手段により算出された露出基準値を露出補正値を用いて補正して露出目標値を得る露出値補正手段と、
前記輝度値が所定値以下の場合であって、前記露出値補正手段により得られた露出目標値が手ぶれ防止のためのシャッター制御の限界点を示す露出値以上の場合、フィルムに対するデータの写し込み時間を規定値より長い時間での写し込みを行い、前記露出値補正手段により得られた露出目標値が手ぶれ防止のためのシャッター制御の限界点を示す露出値より小の場合、フィルムに対するデータの写し込み時間を規定値で示される時間またはこの時間より短くした時間で写し込みを行う写し込み手段と、
を備えるカメラ。
【請求項２】
前記写し込み手段は、さらに、前記測光手段により得られた輝度値が前記所定値より大であって、前記露出値補正手段により得られた露出目標値がシャッター制御による最小露光量を得ることのできる露出値以上である場合、フィルムに対するデータの写し込み時間を規定値より長い時間での写し込みを行い、
前記露出値補正手段により得られた露出目標値がシャッター制御による最小露光量を得ることのできる露出値より小の場合、フィルムに対するデータの写し込み時間を規定値で示される時間で写し込みを行う、
ことを特徴とする請求項１に記載のカメラ。
【請求項３】
装填されているフィルムのフィルム感度を検出する感度検出手段を備え、
前記感度検出手段により検出されたフィルム感度が予め定めたフィルム感度以上のフィルム感度であると判断されると、前記露出補正手段により得られた露出目標値を用いて前記写し込み手段によるデータの写し込み処理を実行することを特徴とする請求項１または２に記載のカメラ。
【発明の詳細な説明】
【技術分野】
【０００１】
本発明は、日付などのデータを撮影した画像に写し込むカメラに関する。
【背景技術】
【０００２】
従来から特開昭６２−９６９３５号公報（特許文献１）に記載されているように、日付などのデータを撮影した画像に写し込むことのできるカメラが知られている。この特許文献１に記載のカメラは、フィルムの感度に対応してデータ写しこみの露光量を切り換えるものである。そして、このカメラにおいて、露出を増やす操作がなされると、データ写し込み露光量を増加させる方向に制御することができる。
【０００３】
また、被写体の明るさが低い範囲でも露出不足のおこらないようにしたカメラとして、特開平５−３４７５４号公報（特許文献２）に記載されるように、被写体の輝度がある設定値より低いと判断した場合には内蔵フィルムの感度を低感度に切り換え、露光量が大きくなるように露出制御を行うものが知られている。
【特許文献１】特開昭６２−９６９３５号公報
【特許文献２】特開平５−３４７５４号公報
【発明の開示】
【発明が解決しようとする課題】
【０００４】
特許文献２に記載のカメラにおいては、被写体の輝度によって露出の制御を行うものであり、フィルムの感度に応じた露出の制御を行うものではない。従って、フィルムの感度に応じた適切な露出制御を行うことはできない。
【０００５】
これを解決するため、高感度フィルム（例えば、ＩＳＯ感度１６００以上）を装填した場合であって、外光輝度が所定の輝度以下である場合、露光量を増大させることにより、フラッシュを用いることなく撮影を可能とするカメラも考えられる。このカメラにおいては、外光輝度が所定値以下である場合、露出値をＥＶ値＝ＢＶ値＋ＳＶ値−ΔＥＶ値とし、適正な露光量を得ることにより、フラッシュを用いない撮影が可能となる。
【０００６】
しかしながら、特許文献２に記載の技術において、データの写し込みを行おうとすると、露光量を増大させている状態でではデータの写し込みのための露光量が相対的に少ない状態となる。つまり、データを鮮明に写し込むことができない。特許文献１に記載のように露出を増大させるにともなってデータの写しこみのための露光量を増大させる処理をそのまま適用すると、露光量を増大させてはいけない範囲にまで露光量を増大させてしまう場合が生ずる。そして、撮影時における露出に対して写し込みデータの露光量が相対的に少ないときには、薄く写し込まれる場合が生ずる。また、撮影時における露出に対して写し込みデータの露光量が相対的に大きいときには、にじんだ状態となって写し込まれる場合が生ずる。
【０００７】
そこで、本発明は、これら問題点を解決して、写し込みデータを鮮明に写し込むことのできるカメラを提供することを目的とする。
【課題を解決するための手段】
【０００８】
本発明のカメラは、上述の課題を解決するため、外光輝度を測定して外光輝度を示す輝度値を得る測光手段と、前記測光手段により得られた外光輝度に基づいて露出基準値を算出する露出値算出手段と、前記測光手段により得られた輝度値が所定値以下である場合、露光量を増大するよう前記露出値算出手段により算出された露出基準値を露出補正値を用いて補正して露出目標値を得る露出値補正手段と、前記測光手段により得られた輝度値が所定値以下の場合であって、前記露出値補正手段により得られた露出目標値が手ぶれ防止のためのシャッター制御の限界点を示す露出値以上の場合、フィルムに対するデータの写し込み時間を規定値より長い時間での写し込みを行い、前記露出値補正手段により得られた露出目標値が手ぶれ防止のためのシャッター制御の限界点を示す露出値より小の場合、フィルムに対するデータの写し込み時間を規定値で示される時間またはこの時間より短くした時間で写し込みを行う写し込み手段と、を備えている。
【０００９】
この発明によれば、測定した輝度値が所定値以下では、撮影時の露光量を増やすよう露出補正値を用いて補正された露出目標値を算出し、この露出目標値が手ぶれ防止のためのシャッター制御の限界点を示す露出値以上である場合では、日付などのデータの写し込み時間を長くする制御を行う。つまり、データ写し込み時における露光量が撮影時における露光量と相対的に不足する場合には、写し込み時間を長くする制御を行う。また、露出目標値が、手ぶれ防止のためのシャッター制御の限界点を示す露出値より小である場合では、シャッター制御による露光量は大きくならないため、データの写し込み時間を長くせず、規定値のままの時間で写し込みを行う制御を行う。
【００１０】
これにより、相対的にデータの写し込みのための露光量が不足または過剰となることがなく、データを鮮明に写し込むことができる。具体的には、データの写し込みにおける露光量が不足することにより写し込みがされたデータが薄くなる、といった状態を防止し、また露光量が多すぎることにより写し込みがされたデータがにじむといった状態を防止することができる。
【００１１】
また、本発明のカメラの前記写し込み手段は、さらに、前記測光手段により得られた輝度値が前記所定値より大であって、前記露出値補正手段により得られた露出目標値がシャッター制御による最小露光量を得ることのできる露出値以上である場合、フィルムに対するデータの写し込み時間を規定値より長い時間での写し込みを行い、前記露出値補正手段により得られた露出目標値がシャッター制御による最小露光量を得ることのできる露出値より小の場合、フィルムに対するデータの写し込み時間を規定値で示される時間で写し込みを行うよう構成することも好ましい。
【００１２】
この発明によれば、露出目標値がシャッター制御による最小露光量を得ることのできる露出値以上である場合には、撮影における露光量と比べて相対的にデータ写し込み時の露光量が不足するため、写し込み時間を長くする制御を行う。また、露出目標値がシャッター制御による最小露光量を得ることのできる露出値より小の場合、フィルムに対するデータの写し込み時間を規定値で示される時間で写し込みを行う。これにより、被写体の輝度値の増大に伴って露光量が増大することから生ずる相対的に写し込みの露光量が不足する、といったことを防止することができる。
【００１３】
また、本発明のカメラは、装填されているフィルムのフィルム感度を検出する感度検出手段をさらに備え、前記感度検出手段により検出されたフィルム感度が予め定めたフィルム感度以上のフィルム感度であると判断されると、前記露出補正手段により得られた露出目標値を用いて前記写し込み手段によるデータの写し込み処理を実行するよう構成することも好ましい。
【００１４】
この発明によれば、予め定めたフィルム感度以上のフィルムが装填されている場合、露光量を増大するよう露出目標値を算出し、この露出目標値および輝度値に基づいて写し込み手段によるデータの写し込みがなされ、装填されたフィルムのフィルム感度に応じたデータの写し込みを自動的に行うことができる。
【発明の効果】
【００１５】
本発明は、相対的にデータの写し込みのための露光量が不足または過剰となることがなく、データを鮮明に写し込むことができる。具体的には、データの写しこみにおける露光量が不足することにより写し込みがされたデータが薄くなる、といった状態を防止し、また露光量が多すぎることにより写し込みがされたデータがにじむといった状態を防止することができる。
【発明を実施するための最良の形態】
【００１６】
本発明は、一実施の形態のために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１７】
まず、本実施形態のカメラ１０について説明する。図１は本発明の第一実施形態に係るカメラの正面側の外観を示す斜視図であり、図２は実施形態に係るカメラの背面側の外観を示す斜視図である。
【００１８】
図１に示すように、本実施形態に係るカメラ１０は、１３５フィルムフォーマットのパトローネを装填するレンズシャッターカメラに適用したものである。このカメラは、その上端にレリーズボタン１１が設けられている。カメラ１０の前面の中央部には、撮影レンズ２を組み込んだ鏡胴３が取り付けられている。この鏡胴３としては、例えば焦点距離２４ｍｍ・開放絞りＦ２．０の単焦点レンズおよびシャッターからなるオートフォーカス動作が可能な撮影レンズ鏡胴が用いられる。カメラ１０の上部にはファインダ５、ストロボ発光部１５、投光部１７及び受光部１８が設けられている。投光部１７及び受光部１８は、例えば三角測量の原理に基づいて被写体までの距離を測定する測距部を構成している。
【００１９】
また、カメラ１０には、測光部１３が設けられている。測光部１３は、撮影視野内の外光輝度を測定する測光手段として機能する。この測光部１３は、例えば中央重点平均測光センサとして一つのＳＰＤデバイス（赤外カットフィルタを光路上に内蔵したもの）を備えたものが用いられる。このＳＰＤデバイスは近似的に撮影レンズ光学系の光軸上に向けられている。
【００２０】
カメラ１０内部の撮影レンズ２の光軸上には、シャッター部１６が組み込まれている。シャッター部１６は、フィルムに必要な露光量を与える絞りばね兼用セクターを備えて構成されている。このシャッター部１６としては、例えば、開放時Ｆ２．０のＦ値を有し、かつ、制御範囲Ｅv ７〜１６[EV]の２枚羽根のレンズシャッターが用いられる。
【００２１】
また、図２に示すディスプレイ部６には、撮影モードや各種警告等が表示される。また、輝度警告灯４は、輝度が不足していること場合、その旨を警告するため点灯する。
【００２２】
図３は、本実施形態のカメラ１０のブロック構成図である。カメラ１０は、レリーズボタン１１、フィルム感度検知部１２、測光部１３、メモリ部１４、ストロボ発光部１５、シャッター部１６、投光部１７、受光部１８、デート写込部１９、制御部２０を備えている。以下、各部について説明する。
【００２３】
レリーズボタン１１は、ユーザが被写体を撮影しようとするときに押下するボタンである。このレリーズボタン１１が押下されるとシャッター部１６はシャッターの開閉動作を行う。
【００２４】
フィルム感度検知部１２は、フィルム装填部（図示せず）に装填されたフィルムの感度を検知する感度検知手段である。フィルム感度検知部１２は、フィルムパトローネに示されるＣＡＳコードのうち感度をあらわす部分を読取り、読取った情報を制御部２０に出力する。制御部２０では、出力された情報に基づいてフィルム感度を認識することができる。フィルム感度はＩＳＯ（International Organization for Standardization）で定められている。なお、ユーザがマニュアル操作においてフィルム感度を設定するようにしてもよい。
【００２５】
測光部１３は、外光輝度を測定する測光手段である。測光部１３が測定した輝度を示す情報を制御部２０に出力し、制御部２０では、被写体の輝度をＡＰＥＸ単位であるＢＶ値（Brightness Value）に変換する。
【００２６】
メモリ部１４は、写し込み時間テーブル、補正量テーブル、および補正時間テーブルを記憶する記憶手段である。以下、各テーブルについて説明する。
【００２７】
写し込み時間テーブルは、フィルム感度と写し込み時間とを対応付けて記憶するテーブルである。図４は、写し込み時間テーブルの具体例を示す説明図である。図４に示すとおり、写し込みテーブルは、フィルム感度（ＩＳＯ感度により表現）と日付などのデータをフィルムに写し込むのに必要とする写し込み時間とを対応付けて記憶する。なお、ＩＳＯ感度１６００、ＩＳＯ感度３２００など高感度のフィルム感度を有するフィルムについては、後述する所定の条件を満たすと、写し込み補正時間を通常の写し込み時間に加算するよう、この写し込みテーブル内で設定されている。
【００２８】
補正量テーブルは、測光部１３が測定した輝度に基づいて算出されたＡＰＥＸ単位であるＢＶ値（Brightness Value）、およびこのＢＶ値にフィルム感度を示すＡＰＥＸ単位であるＳＶ値（Film Speed Value）を加算して得たＥＶ値（Exposure Value）と、上述図４における写し込み補正時間を特定する情報とを対応付けて記憶するテーブルである。
【００２９】
図５は、補正量テーブルの具体例を示す説明図である。図５に示すとおり、補正量テーブルは、ＢＶ値、およびＥＶ値に対応して、写し込み補正時間を特定する情報とが対応づいて記憶している。例えば、測光値であるＢＶ値が５以下であり、ＳＶ値＋ＢＶ値−ΔＥＶ値から算出される露出目標値であるＥＶ値が７未満であると判断された場合、写し込み補正時間としてＴｅｘｐ補正０が抽出されるよう記憶している。
【００３０】
補正時間テーブルは、写し込み補正時間を特定する情報とその具体的な写し込み補正時間とを対応付けて記憶するテーブルである。図６は、補正時間テーブルの具体例を示す説明図である。図６に示すとおり、補正時間テーブルは、写し込み補正時間を特定する情報（例えば、Ｔｅｘｐ補正０）と実際の数値で示される写し込み補正時間とが対応付けて記憶している。
【００３１】
引き続いて、図３に戻り、各部を説明する。ストロボ発光部１５は、測光部１３が測定して被写体の輝度に基づいて自動的に、またはユーザの操作に基づいて、被写体に光を照射するものである。
【００３２】
シャッター部１６は、制御部２０による露出制御（シャッタースピードおよびＦ値（レンズ絞り））に基づいて、Ｆ値で示された径を開口し、シャッタースピードで示された時間経過すると閉口する動作を行うものであり、シャッター部１６が開口している間レンズを通して得た画像はフィルムに転写される。
【００３３】
投光部１７は、被写体までの距離を測定するためのものであり、被写体に対して光を照射するものである。
【００３４】
受光部１８は、投光部１７が照射した光が被写体から反射した光に基づいて被写体までの距離を算出するものである。具体的には、受光部１８は、受光した光に基づいた光量を示す情報を制御部２０に出力し、制御部２０は、入力された光量を示す情報に基づいて被写体までの距離を算出する。上述したとおり、これら投光部１７、受光部１８から測距手段が構成されている。
【００３５】
デート写込部１９は、フィルムに対して日付などのデータを写し込む写し込み手段である。このデート写込部１９は、フィルムを給送しながらＬＥＤアレイによる点灯処理を行うことによりデートの写し込みを行う構成である。具体的には、ＬＥＤアレイは一列７ドットからなるＬＥＤで構成される。そして、一コマの撮影が終了した後の次のコマにフィルムを給送する時に、ＬＥＤのそれぞれのドットが点灯および消灯を繰り返すことにより日付等の数字をフィルムに対して写し込む。ここで、デート写込部１９の具体例について図７を用いて説明する。
【００３６】
図７は、データ写込部１９の具体的な構成を示す詳細説明図である。基板１９ａは、後述するＬＥＤアレイ１９ｂを保持し、制御する基板である。ＬＥＤアレイ１９ｂは、一列７ドットからなるＬＥＤで構成され、一ドット単位に点灯・消灯を行うことができるもののであり、デート情報を形成するものである。プリズム１９ｃは、ＬＥＤアレイ１９ｂにより点灯されたデート情報をフィルム面に反射するものである。写し込みレンズ１９ｄは、プリズム１９ｃにより反射されたデート情報をフィルム面に向けて透過するものである。フィルム１９ｅは、写し込みレンズ１９ｄを介して透過されたデート情報が写し込まれるものである。このように構成されたデート写込部１９は、フィルム１９ｅが次のコマに給送されるときに、ＬＥＤアレイ１９ｂによる点灯・消灯を繰り返すことによりデート情報を形成し、フィルムに日付などのデート情報を写し込むことができる。
【００３７】
また、デート写込部１９のその他の構成として、照明ランプおよび写し込み文字板若しくは写し込みＬＣＤからなる構成がある。写し込み文字板または写し込みＬＣＤは、その文字板またはＬＣＤに日付が表示される。そして、撮影と同時にまたは撮影終了後に照明ランプは、表示された日付を照射することによりフィルムに対して露光する。これによりフィルムに対して日付等のデータは写し込まれる。
【００３８】
なお、デート写込部１９が写し込む情報としては、日付のほか、時刻、シャッター速度、絞り値、露出補正値、撮影条件データ（被写体輝度、フラッシュの有無）などがある。
【００３９】
制御部２０は、カメラ全体の制御を行う制御手段である。例えば、ＣＰＵ、ＲＯＭ、ＲＡＭ、入力信号回路、出力信号回路などを備えて構成されている。この制御部２０は、後述する動作フローチャートを実行する。例えば、レリーズボタン１１の半押し状態を検知すると測距および測光を行うよう測距部および測光部１３に指示を出力する。また、レリーズボタン１１の全押しを検知すると、シャッター部１６を動作させるよう指示を出力する。また、フィルム感度検知部１２からの情報に基づいてフィルム感度を判断する。また、測光部１３から出力された被写体の光量を示す情報に基づいてＢＶ値およびこのＢＶ値からＥＶ値を算出する。
【００４０】
また、所定範囲のＢＶ値を算出した場合は、通常のＥＶ値に所定の露出補正値であるΔＥＶ値を減算することにより、露光量を増大した露出目標値であるＥＶ値を算出する。このように、制御部２０は、ＢＶ値に基づいて露出基準値であるＥＶ値を算出するとともに、ＢＶ値における所定範囲に対しては露光量を増大するよう補正した露出目標値であるＥＶ値を算出する露出値算出手段としても機能する。さらに、これら露出目標値、輝度値に基づいて写し込み補正時間を抽出し、抽出した写し込み補正時間に基づいて写し込み時間を算出する。このように制御部２０は、デート写込部１９に対して写し込み時間を制御してデート写込部１９とともに写し込み手段を形成して機能する。
【００４１】
次に、このカメラ１０の動作について説明する。まず、カメラ１０の撮影時における動作について説明する。図８は、カメラ１０の撮影時における動作を示すフローチャートである。なお、これら動作は制御部２０により制御されている。
【００４２】
まず、カメラ１０のレリーズボタン１１が半押しであることが検知されると（Ｓ２）、測距部による被写体までの距離の測定（測距）が行われ、および測光部１３により被写体の輝度が測定（測光）される（Ｓ４）。そして、レリーズボタン１１が半押し状態から全押しされたことが検知されると（Ｓ６）、測光した結果から算出された露出基準値であるＥＶ値に基づいて露出制御が行われ、測距された結果に基づいて焦点制御がなされて撮影が行われる（Ｓ８）。なお、装填されたフィルムがＩＳＯ感度１６００以上のフィルムが装填された場合、フラッシュを用いない撮影モードであるＮＰモード（ナチュラルフォトモード）に自動的に設定されて、ＮＰモードによる撮影を行う。具体的には、輝度値に基づいて露光量を増加するよう露出基準値であるＥＶ値を補正して露出目標値を得て、この露出目標値に基づいた露出制御を行って撮影を行う。撮影が終了すると、次の撮影のためフィルムの一コマ分が給送される。そして、図７により示されたデート写し込みの機構を用いて、フィルムの給送処理に同期して、デート写込部１９による写し込み処理がなされる（Ｓ１０）。また、Ｓ６において、半押し状態から元に戻されると、処理は一旦終了する。
【００４３】
次に、Ｓ１０におけるデータ写し込み処理における写し込み時間について説明する。まず、輝度値であるＢＶ値と露出基準値（＝ＢＶ値＋ＳＶ値）に対して補正する露出補正値であるΔＥＶ値との関連、および撮影時における露光量と写し込み時間との関係について説明する。図９は、ＩＳＯ感度１６００のフィルムを装填した場合における、輝度値であるＢＶ値と露出補正値であるΔＥＶ値と関連における補正特性を示す説明図である。なお、露出値ＥＶ値＝ＢＶ値＋ＳＶ値−ΔＥＶ値であり、ＩＳＯ感度１６００のフィルムにおいてはＳＶ値＝９とする。
【００４４】
この図９において、ＢＶ値が５以下の場合、ΔＥＶ値を３としている。ΔＥＶ値を３として露光量を多くする（露出値を下げる）ことにより、フラッシュを用いずに自然光による撮影を可能とする。また、ＢＶ値が５より大の場合、ΔＥＶ値を０としている（つまり、補正しない）。
【００４５】
なお、実際に露出制御される範囲は、シャッター制御による露出制御を可能とする範囲である。よって、露出目標値であるＥＶ値は、プログラム線図（図示せず）で示される露出制御範囲内となるよう補正される必要があり、例えばプログラム線図で示す露出制御範囲が７以上１６以下としているならば、その範囲とするよう補正される必要がある。
【００４６】
ここで、露出目標値ＥＶ値を７〜１６の範囲に補正する詳細な処理について説明する。図１０は、露出目標値であるＥＶ値を適正な範囲に補正するときの詳細な処理を示すフローチャートである。
【００４７】
測光部１３により測定された輝度に基づいて、ＡＰＥＸ単位であるＢＶ値が算出され、このＢＶ値に基づいて露出補正値ΔＥＶ値が抽出される（Ｓ２０）。具体的には、図８に示すようにＢＶ値が５以下であるときには、露出補正値ΔＥＶ値として３を抽出する。そして、露出目標値ＥＶ値＝ＢＶ値＋ＳＶ値−ΔＥＶ値を演算する（Ｓ２２）。
【００４８】
演算して得た露出目標値ＥＶ値が７未満であるか否か判断する（Ｓ２４）。本実施形態では、手ぶれ規制のため、露出目標値ＥＶ値の最小値を７としており、露出目標値ＥＶ値が７未満の数値についてはこれを７とするよう制限する必要がある。そして、露出目標値ＥＶ値が７未満である場合は、露出目標値ＥＶ値＝７とする（Ｓ２６）。また、露出目標値ＥＶ値が７以上である場合は、Ｓ２２で演算された値を露出目標値ＥＶ値として、次のステップに進む。
【００４９】
演算して得た露出目標値ＥＶ値が１６より大であるか否か判断する（Ｓ２８）。本実施形態では、最小露光量とするための露出目標値ＥＶ値の最大値を１６としており、露出目標値ＥＶ値が１６より大の数値についてはこれを１６とするよう制限する必要がある。そして、露出目標値ＥＶ値が１６より大である場合は、露出目標値ＥＶ値＝１６とする（Ｓ３０）。また、Ｓ２８で露出目標値ＥＶ値が１６以下である場合は、Ｓ２２で演算された露出目標値ＥＶ値、またはＳ２６で演算された露出目標値ＥＶ値を、それぞれ露出値目標値ＥＶ値とする。
【００５０】
このような処理を行うことにより、露出目標値ＥＶ値が７未満となる場合、手ぶれ防止のためのシャッター制御の限界値である露出目標値ＥＶ値＝７とする制限を行うことができる。また、露出目標値ＥＶ値が１６より大となる場合、シャッター制御による最小露光量を得るための露出値ＥＶ値＝１６とする制限を行うことができる。
【００５１】
このような図９に示す補正特性および図１０に示す処理フローにより得られた補正特性を一つにまとめた概念的なものを図１１に示す。図１１は、シャッター制御による規制を考慮した補正特性を示す説明図である。図１１においては、ＢＶ値が１以下の部分（つまり、ＥＶ値が７以下の部分）、ＢＶ値が７以上の部分（つまり、ＥＶ値が１６以上の部分）については、ＥＶ値が７または１６となることが必要とされることから、そのような値となるようΔＥＶ値が仮定されている。
【００５２】
まず、図１１において、ＢＶ≦１の範囲（図９では、ＢＶ値≦５かつ露出目標値ＥＶ値＜７となる範囲）では、手ぶれ防止のためシャッター制御による露出制御を規制している。このため、被写体（外光）の輝度値が低い割には、露光量が増加されない。よって、ＢＶ値≦５かつ露出目標値ＥＶ値＜７となる範囲では、写し込み時における露光量が相対的に不足することなく、写し込み時間を補正する必要がない。なお、本実施形態では、通常の写し込み時間から１μｓｅｃ短くし、適切な写し込み時間となるよう補正しているが（図５および図６参照）、補正しなくてもよい。
【００５３】
また、図１１において、１＜ＢＶ値≦５の範囲（図９では、ＢＶ値≦５かつ露出目標値ＥＶ値≧７で示す範囲）では、フラッシュを用いずに照明などの光による撮影を可能とするよう、露光量を通常より大きくしている。そのため、ＢＶ値≦５かつ露出目標値ＥＶ値≧７で示す範囲では、フィルムに対するデータ（日付など）の写し込みに際しては通常より長い時間照射しないと、データを鮮明に写し込みすることができず、薄い状態で写し込みがされることになる。
【００５４】
よって、ＢＶ値≦５かつ露出目標値ＥＶ値≧７で示す範囲では、通常より長い時間、データの写し込みのための照射処理がなされることが必要である（図５および図６参照）。なお、本実施形態においてＢＶ値≦５において、露出補正をしているのは、屋内などにおいて人工照明による影響を補正するためである。明らかに人工照明ではない環境下（曇天、晴天時における屋外など）では露出補正は必要とされない。
【００５５】
また、図１１において、５＜ＢＶ値＜７の範囲（図９では、ＢＶ値＞５かつ露出目標値ＥＶ値＜１６の範囲）では、露出補正値は０としている。よって、この範囲では、露光量が増えていないため、写し込み時間を補正する必要はない（図５および図６参照）。
【００５６】
また、図１１において、ＢＶ値≧７となる範囲（（図９では、ＢＶ値＞５の範囲かつ露出目標値ＥＶ値≧１６とする範囲）では、シャッター制御による最小露光量を得ることのできる露出制御の限界値となっている。したがって、被写体（外光）の輝度値が高くても、露光量を減少させることができない。よって、ＢＶ値＞５の範囲であって、露出目標値ＥＶ値≧１６となる範囲では、写し込み時における露光量が相対的に不足するため、データの写し込みのための露光を通常より大きくする必要がある。つまり、写し込み時間を長くする必要がある。本実施形態では、１２μｓｅｃ長く写し込みを行うように制御している（図５および図６参照）。
【００５７】
以上のことから、フラッシュを用いずに露光量を増大させることにより撮影を行うモード（特に、図９における、ＢＶ値≦５かつ露出目標値ＥＶ値≧７で示す範囲）においては、撮影時の露光量が大きい。そのため、露光量に対して写し込みデータへの露光量が相対的に低くならないよう写し込み時間を長くする必要があることが分かる。一方、シャッター制御の限界点において被写体の輝度値に対して相対的に露光量を減少させることができない場合においても、その露光量に対して写し込みデータの露光量が相対的に低くならないよう写し込み時間を長くする必要があることが分かる。なお、後者における写し込み時間は、前者における写し込み時間と比較して、短くてよい。後者における露光量の相対的な差は、前者における露光量の相対的な差より、一般的に小であるからである。
【００５８】
以上説明した露出目標値とデータの写し込みにおける露光量との関係に基づいて、写し込みデータを算出するカメラ１０の具体的な動作について説明する。図１２は、写し込み時間を算出する処理を示すフローチャートである。なお、ここで比較対象とされる露出目標値ＥＶ値は図９で示す露出補正値であるΔＥＶ値を用いて算出された値であり、図１０において露出目標値ＥＶ値が７〜１６の間に補正された数値ではない。
【００５９】
まず、フィルム感度検知部１２により検知されたフィルム感度がＩＳＯ感度１６００により示される感度以上であるか否かが判断される（Ｓ３０）。フィルム感度がＩＳＯ感度１６００により示される感度以上であると判断される場合は、測光部１３により測定された測光値が、ＢＶ値で示す５以下であるか否かが判断される（Ｓ３２）。
【００６０】
測光値であるＢＶ値が５以下である場合は、次にＢＶ値により算出された露出目標値ＥＶ値が７未満であるか判断する（Ｓ３４）。ここで、露出目標値ＥＶ値が７未満である場合は、写し込みデータ補正時間としてＴｅｘｐ補正０を設定する（Ｓ３６）。また、Ｓ２４において、露出目標値ＥＶ値が７以上である場合は、写し込みデータ補正時間としてＴｅｘｐ補正１を設定する（Ｓ３８）。
【００６１】
また、Ｓ３２において、測光値のＢＶ値が５より大である場合は、さらに（１８−露出目標値ＥＶ値）を計算し、この計算結果が２より大であるか判断する（Ｓ４０）。（１８−露出目標値ＥＶ値）が２より大である場合は、写し込みデータ補正時間としてＴｅｘｐ補正２を設定する（Ｓ４２）。（１８−露出目標値ＥＶ値）が２未満である場合は、写し込みデータ補正時間としてＴｅｘｐ補正３を設定する（Ｓ４４）。
【００６２】
また、Ｓ３０において、フィルム感度がＩＳＯ感度１６００により示される感度未満である場合は、写し込み補正量として０を設定する（Ｓ４６）。なお、ここでは写し込み補正量を０と設定しているが、図４に示す写し込み時間テーブルに示すとおり、ＩＳＯ感度が１６００未満のフィルムが装填されている場合は、写し込み時間は写し込み補正時間に何ら影響を受けないため、写し込み補正量を０とする処理をしなくてもよい。
【００６３】
このように設定された写し込み補正時間と、フィルム感度に対応して定められた写し込み時間とを加算し、総写し込み時間を算出する（Ｓ４８）。ここで算出された総写し込み時間を用いて、図８のＳ１０における写し込み処理がなされる。
【００６４】
以上説明したとおり、本実施形態のカメラ１０は、測光部１３が測定した輝度値が所定値以下では、制御部２０において撮影時の露光量を増やすよう露出補正値を用いて補正された露出目標値を算出し、この露出目標値が手ぶれ防止のためのシャッター制御の限界点を示す露出値以上である場合では、デート写込部１９による日付などデータの写し込みの時間を長くする制御を行う。つまり、データ写し込み時における露光量が撮影時における露光量と相対的に不足する場合には、写し込み時間を長くする制御を行う。また、露出目標値が、手ぶれ防止のためのシャッター制御の限界点を示す露出値より小である場合では、シャッター制御による露光量は大きくならないため、データの写し込み時間を長くせず、規定値のままの時間で写し込みを行う制御を行う。
【００６５】
これにより、相対的にデータの写し込みのための露光量が不足または過剰となることがなく、データを鮮明に写し込むことができる。具体的には、データの写しこみにおける露光量が不足することにより写し込みがされたデータが薄くなる、といった状態を防止し、また露光量が多すぎることにより写し込みがされたデータがにじむといった状態を防止することができる。
【００６６】
また、制御部２０において算出した露出目標値がシャッター制御による最小露光量を得ることのできる露出値以上である場合には、撮影における露光量と比べて相対的にデート写込部１９によるデータ写し込み時の露光量が不足するため、写し込み時間を長くする制御を行う。また、露出目標値がシャッター制御による最小露光量を得ることのできる露出値より小の場合、フィルムに対するデータの写し込み時間を規定値で示される時間で写し込みを行う。これにより、被写体の輝度値の増大に伴って露光量が増大することから生ずる相対的に写し込みの露光量が不足する、といったことを防止することができる。
【００６７】
また、予め定めたフィルム感度（例えばＩＳＯ感度１６００）以上のフィルムが装填されている場合、制御部２０において露光量を増大するよう露出目標値を算出し、この露出目標値および輝度値に基づいてデート写込部１９によるデータの写し込みがなされることにより、装填されたフィルムのフィルム感度に応じたデータの写し込みを自動的に行うことができる。
【図面の簡単な説明】
【００６８】
【図１】本実施形態におけるカメラ１０の正面側の外観を示す斜視図である。
【図２】本実施形態におけるカメラ１０の背面側の外観を示す斜視図である。
【図３】本実施形態のカメラ１０のブロック構成図である。
【図４】メモリ部１４に記憶される写し込み時間テーブルの具体例を示す説明図である。
【図５】メモリ部１４に記憶される補正量テーブルの具体例を示す説明図である。
【図６】メモリ部１４に記憶される補正時間テーブルの具体例を示す説明図である。
【図７】データ写込部１９の具体的な構成を示す詳細説明図である。
【図８】カメラ１０の撮影時における動作を示すフローチャートである。
【図９】輝度値であるＢＶ値と露出補正値であるΔＥＶ値との関連における補正特性を示す説明図である。
【図１０】ＥＶ値をシャッター制御可能範囲内に制限するときの処理を示すフローチャートである。
【図１１】シャッター制御による露出制御を考慮したＢＶ値とΔＥＶ値との関連においてシャッター制御の規制を考慮した補正特性を示す説明図である。
【図１２】写し込み時間を算出する処理を示すフローチャートである。
【符号の説明】
【００６９】
２・・・撮影レンズ、３・・・鏡胴、４・・・輝度警告灯、５・・・ファインダ、６・・・ディスプレイ部、１０・・・カメラ、１１・・・レリーズボタン、１２・・・フィルム感度検知部、１３・・・測光部、１４・・・メモリ部、１５・・・ストロボ発光部、１６・・・シャッター部、１７・・・投光部、１８・・・受光部、１９・・・デート写込部、２０・・・制御部。
【図１】
2006038952.tif 000003
【図２】
2006038952.tif 000004
【図３】
2006038952.tif 000005
【図４】
2006038952.tif 000006
【図５】
2006038952.tif 000007
【図６】
2006038952.tif 000008
【図７】
2006038952.tif 000009
【図８】
2006038952.tif 000010
【図９】
2006038952.tif 000011
【図１０】
2006038952.tif 000012
【図１１】
2006038952.tif 000013
【図１２】
2006038952.tif 000014